(57)【要約】【課題】  交差偏波識別度を改善して偏波ダイバシティ効果を向上させるスロット給電型周波数共用アンテナを提供する。【解決手段】  細長のプリント基板４０上に長手方向に沿ってアンテナ素子２、６を複数個配置し、その各アンテナ素子２、６の上記プリント基板４０の幅方向両側に金属板５１、５２を上記アンテナ素子２、６をはさみ対向して配置したスロット給電型アンテナ１である。【選択図】  図１
2005223836.tif 000002
【特許請求の範囲】
【請求項１】
細長のプリント基板上に長手方向に沿ってアンテナ素子を複数個配置し、その各アンテナ素子の上記プリント基板の幅方向両側に金属板を上記アンテナ素子をはさみ対向して配置したことを特徴とするスロット給電型アンテナ。
【請求項２】
上記各アンテナ素子が、偏波ダイバシティアンテナ素子である請求項１記載のスロット給電型アンテナ。
【請求項３】
上記偏波ダイバシティアンテナ素子を第１の偏波ダイバシティアンテナ素子とし、該第１の偏波ダイバシティアンテナ素子の長手方向両側若しくは上記第１の偏波ダイバシティアンテナ素子の長手方向間に第２の偏波ダイバシティアンテナ素子を上記プリント基板長手方向に複数配置し、その各上記第２の偏波ダイバシティアンテナ素子の上記プリント基板の幅方向両側に第２の金属板を配置した請求項２記載のスロット給電型アンテナ。
【請求項４】
上記第１の偏波ダイバシティアンテナ素子は、上記プリント基板上に形成された互いに中央で直交する２本のスロットと、上記プリント基板の裏側にそれぞれの上記スロットと直交するように形成された２本の給電用マイクロストリップ線路と、上記プリント基板と平行する２枚以上の第２のプリント基板上に上記スロットと平行して設けられる中央で直交した２本の導体パターンで形成される無給電素子とを備えた請求項３記載のスロット給電型アンテナ。
【請求項５】
上記第２の偏波ダイバシティアンテナ素子は、上記プリント基板上に形成された互いに中央で直交する２本の第２の大きさのスロットと、上記プリント基板の裏側にそれぞれの上記第２の大きさのスロットと直交するように形成された２本の第２の給電用マイクロストリップ線路と、上記プリント基板と平行する２枚以上の第３のプリント基板上に上記第２の大きさのスロットと平行して設けられる中央で直交した２本の導体パターンで形成される第２の無給電素子とを備えた請求項３記載のスロット給電型アンテナ。
【請求項６】
上記金属板は、上記偏波ダイバシティアンテナ素子に対応した大きさで屈曲して形成され、上記第２の金属板は、上記第２の偏波ダイバシティアンテナ素子に対応した大きさで屈曲して形成される請求項１または３記載のスロット給電型アンテナ。
【請求項７】
上記第２の金属板は、折り曲げられて形成された金属板エレメントと、上記折り曲げられて形成されプリント基板に固定される取付部と、該金属エレメントと上記取付部とを結合して固定するスペーサとを備えて構成される請求項３または６記載のスロット給電型アンテナ。
【請求項８】
上記金属板エレメントは、細長い板の長手方向に沿って屈曲させＬ字状に形成した請求項７記載のスロット給電型アンテナ。
【請求項９】
上記金属板エレメントは、Ｌ字状の一側が１以上の切り込みを有した請求項８記載のスロット給電型アンテナ。
【発明の詳細な説明】
【技術分野】
【０００１】
本発明は、アンテナに係り、特に移動体無線通信における基地局アンテナに関するものである。
【背景技術】
【０００２】
従来、移動体通信においては、移動局が移動する事によって電磁波の受信電力が変動するフェージングといわれる現象が問題となっている。このフェージングを低減させる対策の一つとして、複数のアンテナを用いてその複数のアンテナで同時に信号を受信し、受信電力の強い方のアンテナからの受信信号を通信に用いるダイバシティ方式がよく知られている。
【０００３】
このダイバティ方式には、代表的なものとして空間ダイバシティ方式、偏波ダイバシティ方式、指向性ダイバシティ方式、周波数ダイバシティ方式、時間ダイバシティ方式等がある。
【０００４】
この中で、特に２つの偏波のアンテナを一つの筐体内に収容して利用する偏波ダイバシティ方式が広く検討されている（例えば、特許文献１参照。）。
【０００５】
偏波ダイバシティアンテナでは、交差偏波識別度が高い程その偏波ダイバシティ効果が向上する。この交差偏波識別度を向上させた例としては、特許文献２に示すものがある。これは、±４５°偏波ダイバシティアンテナにおいて、ダイバシティアンテナに使用する無給電素子を十字型や略十字型にすることによって、交差偏波識別度を改善している例である。
【０００６】
【特許文献１】特開２００３−４６３２６号公報
【特許文献２】特願２００２−１１４９７０号
【発明の開示】
【発明が解決しようとする課題】
【０００７】
しかしながら、移動体無線通信用基地局アンテナは、アンテナ素子を数個から数十個並べたアレイアンテナとして実現される。この場合にはアンテナ素子から見ると、アンテナ長手方向には近傍に隣接したアンテナ素子があるが、アンテナの幅方向には隣のアンテナ素子が存在しない状態であり、アンテナの対称性が崩れている。そのため、隣接したアンテナ素子相互の影響等により交差偏波識別度が悪化するという問題点がある。
【０００８】
そこで、本発明の目的は、交差偏波識別度に優れた高い偏波ダイバシティ効果を有するスロット給電型周波数共用アンテナを提供する事にある。
【課題を解決するための手段】
【０００９】
本発明は上記目的を達成するために創案されたものであり、第１の発明は、細長のプリント基板上に長手方向に沿ってアンテナ素子を複数個配置し、その各アンテナ素子の上記プリント基板の幅方向両側に金属板を上記アンテナ素子をはさみ対向して配置したスロット給電型アンテナである。
【００１０】
第２の発明は、上記各アンテナ素子が、偏波ダイバシティアンテナ素子であるものである。
【００１１】
第３の発明は、上記偏波ダイバシティアンテナ素子を第１の偏波ダイバシティアンテナ素子とし、該第１の偏波ダイバシティアンテナ素子の長手方向両側若しくは上記第１の偏波ダイバシティアンテナ素子の長手方向間に第２の偏波ダイバシティアンテナ素子を上記プリント基板長手方向に複数配置し、その各上記第２の偏波ダイバシティアンテナ素子の上記プリント基板の幅方向両側に第２の金属板を配置したものである。
【００１２】
第４の発明は、上記第１の偏波ダイバシティアンテナ素子は、上記プリント基板上に形成された互いに中央で直交する２本のスロットと、上記プリント基板の裏側にそれぞれの上記スロットと直交するように形成された２本の給電用マイクロストリップ線路と、上記プリント基板と平行する２枚以上の第２のプリント基板上に上記スロットと平行して設けられる中央で直交した２本の導体パターンで形成される無給電素子とを備えたものである。
【００１３】
第５の発明は、上記第２の偏波ダイバシティアンテナ素子は、上記プリント基板上に形成された互いに中央で直交する２本の第２の大きさのスロットと、上記プリント基板の裏側にそれぞれの上記第２の大きさのスロットと直交するように形成された２本の第２の給電用マイクロストリップ線路と、上記プリント基板と平行する２枚以上の第３のプリント基板上に上記第２の大きさのスロットと平行して設けられる中央で直交した２本の導体パターンで形成される第２の無給電素子とを備えたものである。
【００１４】
第６の発明は、上記金属板は、上記偏波ダイバシティアンテナ素子に対応した大きさで屈曲して形成され、上記第２の金属板は、上記第２の偏波ダイバシティアンテナ素子に対応した大きさで屈曲して形成されるものである。
【００１５】
第７の発明は、上記第２の金属板は、折り曲げられて形成された金属板エレメントと、上記折り曲げられて形成されプリント基板に固定される取付部と、該金属エレメントと上記取付部とを結合して固定するスペーサとを備えて構成されるものである。
【００１６】
第８の発明は、上記金属板エレメントは、細長い板の長手方向に沿って屈曲させＬ字状に形成したものである。
【００１７】
第９の発明は、上記金属板エレメントは、Ｌ字状の一側が１以上の切り込みを有したものである。
【発明の効果】
【００１８】
本発明によれば、交差偏波識別度に優れた高い偏波ダイバシティ効果を有するスロット給電型周波数共用アンテナを得られる。
【発明を実施するための最良の形態】
【００１９】
以下、本発明の好適実施の形態を添付図面にしたがって説明する。
【００２０】
図１は、本発明の好適実施の形態であるスロット給電型アンテナの概観を示す斜視図である。図２は、本発明の好適実施の形態であるスロット給電型アンテナの正面図である。
【００２１】
図１、図２に示したようにスロット給電型アンテナ１は、細長のプリント基板４０上に長手方向に沿って第１の偏波ダイバシティアンテナ素子２を複数個配置し、各第１の偏波ダイバシティアンテナ素子２のプリント基板４０の幅方向両側に金属板５１を配置した偏波ダイバシティアンテナである。
【００２２】
このスロット給電型アンテナ１は、第１の偏波ダイバシティアンテナ素子２の長手方向両側に第２の偏波ダイバシティアンテナ素子６をプリント基板４０長手方向に複数個配置するか、第１の偏波ダイバシティアンテナ素子２の長手方向間に第２の偏波ダイバシティアンテナ素子６をプリント基板４０長手方向に複数個配置して、その各々の第２の偏波ダイバシティアンテナ素子６のプリント基板４０の幅方向両側に第２の金属板５２を配置した異なる周波数を送受信できるスロット給電型周波数共用アンテナとなっている。
【００２３】
第１の偏波ダイバシティアンテナ素子２は、プリント基板４０上に形成された互いに中央で直交する２本のスロットで形成される十字型のスロット３（図３に示す。）と、このプリント基板４０のスロット３が形成された裏側にそれぞれのスロット３と直交するように形成された図示しない２本の給電用マイクロストリップ線路と、プリント基板４０と平行する２枚以上の第２のプリント基板２２上にスロット３と平行して設けられる中央で直交した２本の導体パターンで形成される無給電素子２２ａと、第２のプリント基板２２をプリント基板４０の上に固定するためのスペーサ２８とを備えて構成されている。
【００２４】
各第１の偏波ダイバシティアンテナ素子２のプリント基板４０の幅方向両側には、第１の偏波ダイバシティアンテナ素子２に対応した大きさで形成された金属板５１が配置された構造となっている。
【００２５】
第１の偏波ダイバシティアンテナ素子２及び金属板５１は、低い周波数のための偏波アンテナ素子を構成している。
【００２６】
プリント基板４０には、図３に示すようにスロット３及びスロット３５が形成されている。これらのスロット３及びスロット３５は、誘電体材質のプリント基板４０の表面に導電体材質（例えば銅）の箔（薄膜）を設け、エッチング等の加工により、この導電体材質の一部を除くことにより形成される。これらのスロット３は、互いに中央で直交する２本のスロット３ａ、３ｂからなり、第１の偏波ダイバシティアンテナ素子２の一部をなしている。スロット３とは大きさの異なるスロット３５は、互いに中央で直交する２本のスロット３５ａ、３５ｂからなり、第２の偏波ダイバシティアンテナ素子６の一部をなしている。
【００２７】
プリント基板４０には、図示しない各２本の給電用マイクロストリップ線路が形成されている。これらの各２本の給電用マイクロストリップ線路は、誘電体材質のプリント基板４０のスロット３及びスロット３５が形成された裏面に導電体材質（例えば銅）の箔（薄膜）を設け、エッチング等の加工により、この導電体材質の一部を除くことにより形成される。これらの各２本の給電用マイクロストリップ線路は、スロット３、３５と直交するように形成されている。
【００２８】
スロット３は、細長のプリント基板４０上に長手方向に沿って複数個配置され、スロット３５は、各スロット３の長手方向両側に設けられるか、若しくは各スロット３の長手方向間に設けられる。図３は、スロット３５が各スロット３の長手方向両側に設けられた実施例を示している。
【００２９】
図１、図２に示すように第２のプリント基板２２は、プリント基板４０と同様の誘電体材質を板状にして形成され、誘電体材質の表面に導電体材質（例えば銅）により設けられた箔（薄膜）をエッチング加工して、無給電素子２２ａを形成した構造である。無給電素子２２ａは、プリント基板２２上に互いに中央で直交するように十字型に導電体材質を残して形成された素子パターンであり、プリント基板４０に設けられたスロット３に平行して配置することができるようにパターン形成されている。
【００３０】
スペーサ２８は、第２のプリント基板２２をプリント基板４０の上にスロット３に平行して固定するための部材であり、例えば円柱状若しくは多角柱状の形状をなしている。
【００３１】
スペーサ２８は、形成される第１の偏波ダイバシティアンテナ素子２の電磁波の放射及び共振に影響を与えない部材を用い、電磁波の放射及び共振に影響を与えない位置に設けられるとよい。
【００３２】
無給電素子２２ａは、第２のプリント基板２２がスロット３を覆うようにスロット３に平行して設けられ、必要に応じてプリント基板４０の鉛直方向に多段に形成される。プリント基板４０及び第２のプリント基板２２は、互いに一定間隔を置いて設けられており、スペーサ２８により保持、固定されている。
【００３３】
無給電素子２２ａは、スロット３から放射される電磁波を再放射し、アンテナ指向性をより良好な特性とする機能を有する。
【００３４】
金属板５１は、各第１の偏波ダイバシティアンテナ素子２の近傍に対向して設けられ、プリント基板４０の幅方向両側に各第１の偏波ダイバシティアンテナ素子２を間に置くように配置される。
【００３５】
金属板５１は、各第１の偏波ダイバシティアンテナ素子２の使用周波数に対応した大きさの金属板で形成され、例えば図４に示したように一枚の板を折り曲げた鉤型形状となっている。金属板５１は、図１に示すようにプリント基板４０に折り曲げた一面を密着させるようにして取り付け、折り曲げた他の面がプリント基板４０に垂直になるように設けられている。
【００３６】
金属板５１は、第１の偏波ダイバシティアンテナ素子２で送受信される偏波された電磁波がスロット３（図３参照）と無給電素子２２ａとの間で共振する際に、電磁波の偏波角度を調整する機能を有している。
【００３７】
第２の偏波ダイバシティアンテナ素子６は、プリント基板４０上に形成されたスロット３とは大きさの異なる互いに中央で直交する２本のスロット３５（図３に示す。）と、プリント基板４０の裏側にそれぞれの第２の大きさのスロット３５と直交するように形成された図示しない２本の第２の給電用マイクロストリップ線路と、プリント基板４０と平行する２枚以上の第３のプリント基板上３２に第２の大きさのスロット３５と平行して設けられ中央で直交した２本の導体パターンで形成される第２の無給電素子３２ａと、第３のプリント基板３２をプリント基板４０の上に固定するためのスペーサ２９とを備えて構成される。
【００３８】
各第２の偏波ダイバシティアンテナ素子６のプリント基板４０の幅方向両側には、第２の偏波ダイバシティアンテナ素子６に対応した大きさで形成された第２の金属板５２が配置された構造となっている。
【００３９】
第２の偏波ダイバシティアンテナ素子６及び第２の金属板５２は、高い周波数のための偏波アンテナ素子を構成している。
【００４０】
第３のプリント基板３２は、プリント基板４０と同様の誘電体材質を板状にして形成され、誘電体材質の表面に導電体材質（例えば銅）により設けられた箔（薄膜）をエッチング加工して、無給電素子３２ａを形成した構造である。無給電素子３２ａは、プリント基板３２上に互いに中央で直交するように十字型に導電体材質を残して形成された素子パターンであり、プリント基板４０に設けられたスロット３５に平行して配置することができるようにパターン形成されている。
【００４１】
スペーサ２９は、第３のプリント基板３２をプリント基板４０の上にスロット３５に平行して固定するための部材であり、例えば円柱状若しくは多角柱状の形状をなしている。
【００４２】
無給電素子３２ａは、第３のプリント基板３２がスロット３５を覆うようにスロット３５に平行して設けられ、必要に応じてプリント基板４０の鉛直方向に多段に形成される。プリント基板４０及び第３のプリント基板２２は、互いに一定間隔を置いて設けられており、スペーサ２９により保持、固定されている。
【００４３】
無給電素子３２ａは、スロット３５から放射される電磁波を再放射し、アンテナ指向性をより良好な特性とする機能を有する。
【００４４】
スペーサ２９は、形成される第２の偏波ダイバシティアンテナ素子６の電磁波の放射及び共振に影響を与えない部材を用い、電磁波の放射及び共振に影響を与えない位置に設けられるとよい。
【００４５】
第２の金属板５２は、各第２の偏波ダイバシティアンテナ素子６の近傍に対向して設けられ、プリント基板４０の幅方向両側に各第２の偏波ダイバシティアンテナ素子６を間に置くように配置される。
【００４６】
第２の金属板５２は図５に示すように、各第２の偏波ダイバシティアンテナ素子６の使用周波数に対応した大きさの金属板エレメント５２ａと、プリント基板４０に取り付けるために金属板を折り曲げ加工して形成された取付部５２ｂと、金属板エレメント５２ａと取付部５２ｂとを１組の部材として結合するためのスペーサ６１とを備えて構成される。
【００４７】
第２の金属板５２は、図１に示すようにプリント基板４０に取付部５２ｂの一面を密着させるようにして取り付けられている。第２の金属板５２は、偏波ダイバシティアンテナ素子６で送受信された電磁波がスロット３５（図３参照）と無給電素子３２ａとの間で共振する際に、電磁波の偏波角度を調整する機能を有している。
【００４８】
金属板エレメント５２ａは、図示したように細長い板の長手方向に沿って屈曲させ断面がＬ字状に形成されている。
【００４９】
スペーサ６１は、絶縁体材質で形成され、例えば円柱状若しくは多角柱状の形状をなしており、金属板エレメント５２ａと取付部５２ｂとを結合して固定している。
【００５０】
次に、このスロット給電型アンテナ１の作用効果について説明する。
【００５１】
先ず、金属板５１、５２が無い場合について説明する。
【００５２】
スロット給電型アンテナ１は、複数個配置された第１の偏波ダイバシティアンテナ素子２から所望の低い周波数の電磁波を送受信し、第２の偏波ダイバシティアンテナ素子６から所望の高い周波数の電磁波を送受信する機能を有している。
【００５３】
第１の偏波ダイバシティアンテナ素子２においては、スロット３に直交するように設けられた各々の２本の給電用マイクロストリップ線路から低い周波数の電磁波が給電され、スロット３からこの低い周波数の電磁波が放射される。
【００５４】
プリント基板４０に形成された互いに中央で直交する斜十字のスロット３は、各々のスリット３ａ、３ｂから異なる偏波の電磁波を放射する。例えば、スロット３ａからは＋４５°偏波の電磁波を放射し、スロット３ｂからは−４５°偏波の電磁波を放射している。
【００５５】
スロット３ａ、３ｂから放射された電磁波の一部は直接自由空間にそのまま放射され、放射された電磁波の一部は無給電素子２２ａに輻射される。無給電素子２２ａに輻射された電磁波は自由空間に向けて再放射される。
【００５６】
このとき、スロット３と無給電素子２２ａとの間に電磁波による共振が生じる。
【００５７】
各スロット３から放射された電磁波と、各無給電素子２２ａから放射された電磁波との合成により第１の偏波ダイバシティアンテナ素子２のアンテナ指向性パターンが形成される。
【００５８】
形成された各第１の偏波ダイバシティアンテナ素子２のアンテナ指向性パターンが合成されることにより、スロット給電型アンテナ１の低い周波数のアンテナ指向性パターンが形成される。
【００５９】
このアンテナ指向性は、プリント基板４０から鉛直に第２のプリント基板２２の方向に向かっている。この形成されたアンテナ指向性パターンにより、低い周波数の電磁波がこのアンテナ指向性の方向に向かって放射される。
【００６０】
スロット給電型アンテナ１は、この合成されたアンテナ指向性パターンにおいて低い周波数の電磁波による＋４５°偏波及び−４５°偏波を送受信することができる偏波ダイバシティ機能を有するアンテナとなっている。
【００６１】
第２の偏波ダイバシティアンテナ素子６においては、スロット３５に直交するように設けられた各々の２本の給電用マイクロストリップ線路から高い周波数の電磁波が給電され、スロット３５からこの高い周波数の電磁波が放射される。
【００６２】
プリント基板４０に形成された互いに中央で直交する斜十字のスロット３５は、各々のスリット３５ａ、３５ｂから異なる偏波の電磁波を放射する。例えば、スロット３５ａからは＋４５°偏波の電磁波を放射し、スロット３５ｂからは−４５°偏波の電磁波を放射している。
【００６３】
スロット３５ａ、３５ｂから放射された電磁波の一部は直接自由空間にそのまま放射され、放射された電磁波の一部は無給電素子３２ａに輻射される。無給電素子３２ａに輻射された電磁波は自由空間に向けて再放射される。
【００６４】
このとき、スロット３５と無給電素子３２ａとの間に電磁波による共振が生じる。
【００６５】
各スロット３５から放射された電磁波と、各無給電素子３２ａから放射された電磁波との合成により第２の偏波ダイバシティアンテナ素子６のアンテナ指向性パターンが形成される。
【００６６】
このアンテナ指向性は、プリント基板４０から鉛直に第３のプリント基板３２の方向に向かっている。この形成されたアンテナ指向性パターンにより、高い周波数の電磁波がこのアンテナ指向性の方向に向かって放射される。
【００６７】
形成された各第２の偏波ダイバシティアンテナ素子６のアンテナ指向性パターンが合成されることにより、スロット給電型アンテナ１の高い周波数のアンテナ指向性パターンが形成される。
【００６８】
スロット給電型アンテナ１は、この合成されたアンテナ指向性パターンにおいて高い周波数の電磁波による＋４５°偏波及び−４５°偏波を送受信することができる偏波ダイバシティ機能を有するアンテナとなっている。
【００６９】
このようにスロット給電型アンテナ１は、金属板５１が無くとも各第１の偏波ダイバシティアンテナ素子２により低い周波数のアンテナ指向性パターンを有している。
【００７０】
しかし、この場合各第１の偏波ダイバシティアンテナ素子２から見ると、プリント基板の両端を除きアンテナ長手方向には近傍に隣接した第１の偏波ダイバシティアンテナ素子２があるが、アンテナの幅方向には隣の第１の偏波ダイバシティアンテナ素子２が存在しない状態であり、アンテナの対称性が崩れている。このため、隣接した第１の偏波ダイバシティアンテナ素子２相互の影響等により交差偏波識別度が悪化するという問題点があった。
【００７１】
金属板５１は、この問題を解消するために設けられた部材であり、図１、２に示すように金属板５１が第１の偏波ダイバシティアンテナ素子２をはさんで互いに対向して設けられていることで、スロット３からの放射電磁波と無給電素子２２ａからの再放射電磁波との共振を助け、プリント基板４０の幅方向の対称性を改善している。このため、金属板５１は、第１の偏波ダイバシティアンテナ素子２の交差偏波識別度を改善する機能を発揮している。
【００７２】
すなわち、プリント基板４０の幅方向に金属板５１を設けたことにより、プリント板４０幅方向にも擬似的に第１の偏波ダイバシティアンテナ素子２があるが如き作用を生ぜしめ、交差偏波識別度が向上することにより低い周波数におけるスロット給電型アンテナ１の偏波ダイバシティ機能を改善している。
【００７３】
第２の偏波ダイバシティアンテナ素子６においても、第２の金属板５２を設けることにより高い周波数の電磁波の送受信で同様の効果を得られる。
【００７４】
すなわち、プリント基板４０の幅方向に第２の金属板５２を設けたことにより、プリント板４０幅方向にも擬似的に偏波ダイバシティアンテナ素子６があるが如き作用を生ぜしめ、交差偏波識別度が向上することにより高い周波数におけるスロット給電型アンテナ１の偏波ダイバシティ機能を改善している。
【００７５】
なお、低い周波数帯用に加工し折り曲げた金属板５１及び高い周波数帯用の第２の金属板５２の形状は、図４、図５に示した形状や屈曲構造に限定されるものではなく、スロット３と無給電素子２２ａとの共振若しくはスロット３５と無給電素子３２ａとの共振を助け、交差偏波識別度を向上させる金属板であれば形状や加工状態は問わない。
【００７６】
例えば、金属板エレメント５２ａの代わりに図６（ａ）に示すような金属板エレメント５４や図６（ｂ）に示すような金属板エレメント５５の形状であってもよい。
【００７７】
金属板エレメント５４、５５は、折り曲げた金属板エレメント５２ａのＬ字状の一側に１以上の切り込みを入れる加工をしており、切り込みの数や切り込みの形状、大きさによってスロット３５と無給電素子３２ａとの共振状態を調整することができ、交差偏波識別度を向上させることができる。
【００７８】
本実施の形態では、説明の簡略のため２周波数の送受信の場合について記述しているが、第３以降の偏波ダイバシティアンテナ素子及び金属板をさらに設けることで、３以上の周波数の送受信を行う場合も同様の交差偏波識別度向上効果が得られる。
【産業上の利用可能性】
【００７９】
本発明は、偏波アンテナに限らず複数のアンテナ素子を配列して構成されるアンテナにおいて、配列の対称性によりアンテナの電気的性能が劣化する場合にも応用できる。
【図面の簡単な説明】
【００８０】
【図１】実施の形態であるスロット給電型アンテナを示す構造図である。
【図２】実施の形態であるスロット給電型アンテナを示す正面図である。
【図３】スロット給電型アンテナのアンテナ素子基板を示す正面図である。
【図４】低い周波数用に加工し折り曲げた金属板を示す概観図である。
【図５】高い周波数用に形成された第２の金属板を示す概観図である。
【図６】図６（ａ）は、Ｌ字状に折り曲げて複数の切り込みを入れた金属エレメントを示す概観図である。図６（ｂ）は、Ｌ字状に折り曲げて１つの切り込みを入れた金属エレメントを示す概観図である。
【符号の説明】
【００８１】
１  スロット給電型アンテナ
２  第１の偏波ダイバシティアンテナ素子
６  第２の偏波ダイバシティアンテナ素子
２２  第２のプリント基板
２２ａ  無給電素子
２８、２９  スペーサ
３２  第３のプリント基板
３２ａ  無給電素子
４０  プリント基板
５１  金属板
５２  第２の金属板
【図１】
2005223836.tif 000003
【図２】
2005223836.tif 000004
【図３】
2005223836.tif 000005
【図４】
2005223836.tif 000006
【図５】
2005223836.tif 000007
【図６】
2005223836.tif 000008